(57)【要約】【課題】ディジタルカメラとプリンタとを直接つなぎ、動画像の所望のフレームを簡単にプリントアウトできるようにする。【解決手段】リムーバブルメモリ１２に記憶されている動画像データ中の印刷すべきフレームを指定し、指定された印刷すべきフレームの位置情報を保存しておく。保存されているフレームの位置情報に基づいて、リムーバブルメモリ１２から動画データを読み出し、動画データ中のフレーム位置情報により特定されるフレームの動画データから静止画データを形成する。この形成された静止画データをインターフェースを介してプリンタに送る。動画の中から印刷フレームの画像の静止画を作成してプリンタに送っているので、プリンタは静止画の印刷処理と同様の処理で印刷が行え、動画フォーマットを意識することなく、印刷が行える。【選択図】        図３
2004179823.tif 000002
【特許請求の範囲】
【請求項１】
被写体像を撮影する撮像手段と、
上記撮像された静止画像データ及び動画像データが保存される記憶手段とからなるディジタルカメラ装置であって、
更に、プリンタと接続するためのインターフェースを有し、
上記記憶手段に記憶されている動画データを印刷する際に、上記インターフェースを介してプリンタを接続し、
上記記憶手段に記憶されている動画像データ中の印刷すべきフレームを指定し、上記指定された印刷すべきフレームの位置情報を保存しておき、
上記保存されているフレームの位置情報に基づいて、上記記憶手段から動画データを読み出し、上記動画データ中の上記フレーム位置情報により特定されるフレームの動画データから静止画データを形成し、
上記形成された静止画データを上記インターフェースを介して上記プリンタに送る
ようにしたディジタルカメラ装置。
【請求項２】
上記フレームの位置情報は、動画ファイル特定情報と、選択フレーム位置情報である請求項１に記載のディジタルカメラ装置。
【請求項３】
上記動画ファイル特定情報はファイル名であり、上記選択フレーム位置情報は、先頭からのフレーム番号あるいはバイト位置である請求項２に記載のディジタルカメラ装置。
【請求項４】
上記印刷すべきフレームを複数枚指定できるようにした請求項１に記載のディジタルカメラ装置。
【請求項５】
上記印刷すべきフレームは、上記再生画面を見ながらユーザが指定するようにした請求項１に記載のディジタルカメラ装置。
【請求項６】
上記印刷すべきフレームは、指定時間間隔毎に指定されるようにした請求項１に記載のディジタルカメラ装置。
【請求項７】
上記印刷すべきフレームは、シーンの切り替わりのフレームで指定されるようにした請求項１に記載のディジタルカメラ装置。
【請求項８】
上記記憶手段に記憶されている動画データを印刷する際に、画像の印刷形式を指定できるようにした請求項１に記載のディジタルカメラ装置。
【請求項９】
上記印刷形式は、フレーム毎の印刷形式である請求項８に記載のディジタルカメラ装置。
【請求項１０】
上記印刷形式は、インデックス画像形式である請求項８に記載のディジタルカメラ装置。
【請求項１１】
更に、上記動画データ中の上記フレーム位置情報により特定されるフレームの静止画データをエンコードして上記プリンタに出力するようにした請求項１に記載のディジタルカメラ装置。
【請求項１２】
被写体像を撮影し、撮像された静止画像及び動画像データを記憶手段に記憶させるようにしたディジタルカメラ装置の印刷方法であって、
プリンタと接続するためのインターフェースを設け、
上記記憶手段に記憶されている動画データを印刷する際に、上記インターフェースを介してプリンタを接続し、
上記記憶手段に記憶されている動画像データ中の印刷すべきフレームを指定し、上記指定された印刷すべきフレームの位置情報を保存しておき、
上記保存されているフレームの位置情報に基づいて、上記記憶手段から動画データを読み出し、上記動画データ中の上記フレーム位置情報により特定されるフレームの動画データから静止画データを形成し、
上記形成された静止画データを上記インターフェースを介して上記プリンタに送る
ようにしたディジタルカメラ装置の印刷方法。
【請求項１３】
上記フレームの位置情報は、動画ファイル特定情報と、選択フレーム位置情報である請求項１２に記載のディジタルカメラ装置の印刷方法。
【請求項１４】
上記動画ファイル特定情報はファイル名であり、上記選択フレーム位置情報は、先頭からのフレーム番号あるいはバイト位置である請求項１３に記載のディジタルカメラ装置の印刷方法。
【請求項１５】
上記印刷すべきフレームを複数枚指定できるようにした請求項１２に記載のディジタルカメラ装置の印刷方法。
【請求項１６】
上記印刷すべきフレームは、上記再生画面を見ながらユーザが指定するようにした請求項１２に記載のディジタルカメラ装置の印刷方法。
【請求項１７】
上記印刷すべきフレームは、指定時間間隔毎に指定されるようにした請求項１２に記載のディジタルカメラ装置の印刷方法。
【請求項１８】
上記印刷すべきフレームは、シーンの切り替わりのフレームで指定されるようにした請求項１２に記載のディジタルカメラ装置の印刷方法。
【請求項１９】
上記記憶手段に記憶されている動画データを印刷する際に、画像の印刷形式を指定できるようにした請求項１２に記載のディジタルカメラ装置の印刷方法。
【請求項２０】
上記印刷形式は、フレーム毎の印刷形式である請求項１９に記載のディジタルカメラ装置の印刷方法。
【請求項２１】
上記印刷形式は、インデックス画像形式である請求項１９に記載のディジタルカメラ装置の印刷方法。
【請求項２２】
更に、上記動画データ中の上記フレーム位置情報により特定されるフレームの静止画データをエンコードして上記プリンタに出力するようにした請求項１２に記載のディジタルカメラ装置の印刷方法。
【発明の詳細な説明】
【０００１】
【発明の属する技術分野】
この発明は、静止画が撮影できると共に動画が撮影できるディジタルカメラに関するもので、特に、ディジタルカメラとプリンタとを直接接続し、ディジタルカメラで撮影した画像をプリンタで直接印刷できるようにしたものに関する。
【０００２】
【従来の技術】
ディジタルカメラでは、ＣＣＤ（Ｃｈａｒｇｅ  Ｃｏｕｐｌｅｄ  Ｄｅｖｉｃｅ）等の撮像素子で撮影された画像がメモリスティック（登録商標）等の着脱自在の不揮発性メモリに保存される。不揮発性メモリに保存される画像は、通常、ＪＰＥＧ（Ｊｏｉｎｔ  Ｐｈｏｔｏｇｒａｐｈｉｃ  Ｅｘｐｅｒｔｓ  Ｇｒｏｕｐ）等の圧縮方式を用いて圧縮される。また、最近では、ディジタルカメラの高機能化が進み、静止画撮影が行えると共に、動画も撮影できるものが登場している。動画撮影が行えるディジタルカメラでは、撮影された動画は、例えば、ＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）方式で圧縮され、ＭＰＥＧのファイル形式で、不揮発性メモリに保存される。
【０００３】
このように、近年、ディジタルカメラの高機能化が進み、静止画ばかりでなく、動画撮影が行えるものがある。このようなディジタルカメラにおいては、撮影した動画像の中から特定のフレームの画像を取り出して、プリンタでプリントアウトして楽しみたいという要望がある。ディジタルカメラで撮影した動画像の特定フレームを印刷する場合、従来、以下のような２つの方法が知られている。
【０００４】
（１）不揮発性メモリに保存された動画をパーソナルコンピュータに転送し、動画をプリンタが接続されたパーソナルコンピュータシステムに移し、そのシステム上で再生しながら印刷したいフレームを選択し、パーソナルコンピュータに接続されたプリンタで印刷する。
【０００５】
なお、プリンタ自体で印刷フレームを選択し、印刷するものとして、特許文献１に示されるものが提案されている。
【０００６】
（２）動画を撮影したシステム（例えば、ディジタルカメラ）のモニタ上で印刷フレームを選択し、選択したフレーム情報を印刷情報として、不揮発性メモリに別ファイルとして保存する。続いて、この不揮発性メモリをプリンタに挿入し、印刷する。
【０００７】
この方法を用いたものとして、特許文献２及び特許文献３に示すものが提案されている。
【０００８】
また、動画のダイレクトプリントに関しては、特許文献４において、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４を用いてディジタルビデオの映像を印刷する方法が提案されている。
【０００９】
【特許文献１】
特開２００１−７８１２７号公報
【特許文献２】
特開２００１−２５１５７３号公報
【特許文献３】
特開２０００−３３３１２３号公報
【特許文献４】
特開２００１−３２８３１４号公報
【００１０】
【発明が解決しようとする課題】
しかしながら、不揮発性メモリに保存された動画をパーソナルコンピュータに転送し、パーソナルコンピュータに繋がれたプリンタで印刷するものや、動画を撮影したシステムのモニタ上で印刷フレームを選択し、選択したフレーム情報を印刷情報として不揮発性メモリに別ファイルとして保存し、この不揮発性メモリをプリンタに挿入して印刷するものでは、撮影した画像を撮像装置から別システムへ画像データを持ち出さなくてはならず、動画の印刷が手軽に行えないという問題がある。また、これらの方法で印刷できる動画フレームは、プリンタ側で伸長（デコード）できる特定の動画フォーマットに限定されている。
【００１１】
そこで、ディジタルカメラとプリンタとを直接接続し、ディジタルカメラで撮影した動画の所望のフレームを簡単にプリントアウトで楽しむことができるようにすることが望まれる。
【００１２】
なお、ディジタルカメラとプリンタとを直接接続し、撮影した動画のフレームを直接プリンタで印刷できるようにしたものに関しては、特許文献４に示したものがあるが、特許文献４では、ＩＥＥＥ１３９４を用いてディジタルビデオの映像を印刷する方法が提案されており、これは、特定のインターフェース、動画フォーマットでの使用にとどまっており、汎用性に欠ける。
【００１３】
したがって、この発明の目的は、ディジタルカメラとプリンタとを直接繋ぎ、ディジタルカメラで撮影した動画像の所望のフレームを簡単にプリントアウトできると共に、特定の画像フォーマットやインターフェースに依存することがないディジタルカメラ装置及びディジタルカメラの印刷方法を提供することにある。
【００１４】
【課題を解決するための手段】
この発明は、被写体像を撮影する撮像手段と、
撮像された静止画像データ及び動画像データが保存される記憶手段とからなるディジタルカメラ装置であって、
更に、プリンタと接続するためのインターフェースを有し、
記憶手段に記憶されている動画データを印刷する際に、インターフェースを介してプリンタを接続し、
記憶手段に記憶されている動画像データ中の印刷すべきフレームを指定し、指定された印刷すべきフレームの位置情報を保存しておき、
保存されているフレームの位置情報に基づいて、記憶手段から動画データを読み出し、動画データ中のフレーム位置情報により特定されるフレームの動画データから静止画データを形成し、
形成された静止画データをインターフェースを介してプリンタに送る
ようにしたディジタルカメラ装置である。
【００１５】
この発明は、被写体像を撮影し、撮像された静止画像及び動画像データを記憶手段に記憶させるようにしたディジタルカメラ装置の印刷方法であって、
プリンタと接続するためのインターフェースを設け、
記憶手段に記憶されている動画データを印刷する際に、インターフェースを介してプリンタを接続し、
記憶手段に記憶されている動画像データ中の印刷すべきフレームを指定し、指定された印刷すべきフレームの位置情報を保存しておき、
保存されているフレームの位置情報に基づいて、記憶手段から動画データを読み出し、動画データ中のフレーム位置情報により特定されるフレームの動画データから静止画データを形成し、
形成された静止画データをインターフェースを介してプリンタに送る
ようにしたディジタルカメラ装置の印刷方法である。
【００１６】
この発明では、ディジタルカメラとプリンタとを直接繋ぎ、パーソナルコンピュータを使わずに、ディジタルカメラで撮影した画像を印刷することができる。そして、ディジタルカメラで撮影された動画の中から、所望の印刷フレームの画像を指定し、この印刷フレームの画像の静止画を作成して、プリンタに送る機能を有している。このため、静止画ばかりでなく、動画の中の所望のフレームの印刷を行うことができる。動画の中から印刷フレームの画像の静止画を作成してプリンタに送っているので、プリンタは静止画の印刷処理と同様の処理で印刷が行え、動画フォーマットを意識することなく、印刷が行える。
【００１７】
【発明の実施の形態】
以下、この発明の実施の形態について図面を参照して説明する。図１は、この発明が適用されたディジタルカメラの構成を示すものである。図１において、ＣＰＵ（Ｃｅｎｔｒａｌ  Ｐｒｏｃｅｓｓｉｎｇ  Ｕｎｉｔ）１は、ディジタルカメラ全体の制御を行っている。ＣＰＵ１に対して入力キー２が設けられる。入力キー２はユーザからの入力を受け付けるもので、シャッターキーや動作モードの設定を行うためのキーを含んでいる。ＣＰＵ１は、バス３に接続される。
【００１８】
バス３には、ＲＯＭ（Ｒｅａｄ  Ｏｎｌｙ  Ｍｅｍｏｒｙ）４、ＲＡＭ（Ｒａｎｄｏｍ  Ａｃｃｅｓｓ  Ｍｅｍｏｒｙ）５が接続される。ＲＯＭ４には制御プログラムが格納されている。ＲＡＭ５は、作業領域として用いられる。
【００１９】
カメラブロック６は、レンズ部、撮像素子、アイリス、ＤＳＰ（Ｄｉｇｉｔａｌ  Ｓｉｇｎａｌ  Ｐｒｏｃｅｓｓｏｒ）等から構成される。レンズ部は、被写体像光を撮像素子の受光面に結像させる。小型、軽量化を図ったカメラでは、レンズ部として単焦点のものが用いられる。一般的なものでは、レンズ部にオートフォーカス機構が備えられている。また、レンズ部には、光学ズーム機構が備えられたものもある。撮像素子は、その受光面に結像された被写体像光を光電変換する。撮像素子としては、ＣＣＤ（Ｃｈａｒｇｅ  Ｃｏｕｐｌｅｄ  Ｄｅｖｉｃｅ）  撮像素子や、ＣＭＯＳ（Ｃｏｍｐｌｅｍｅｎｔａｒｙ  ＭＯＳ）撮像素子が用いられる。撮像素子の前面には、色フィルタが配列されている。色フィルタの配列の構成としては、Ｒ（赤）、Ｇ（碧）、Ｂ（青）の原色系フィルタを用いる場合と、Ｃｙ（シアン）、Ｍｇ（マゼンタ）、Ｙｅ（黄色）の補色系フィルタを用いる場合とがある。この発明では、どのような構成のカメラブロックを用いても良い。撮像素子の出力はＤＳＰに供給され、ＤＳＰによりその受光面に結像された被写体像光に基づく３原色のカラー画像信号が形成される。このカラー画像信号は、Ａ／Ｄコンバータによりディジタル化され、バス３介して、各部に送られる。
【００２０】
解像度コンバータ７は、画像の解像度を変換するものであり、バス３に接続される。解像度コンバータ７は、カメラブロック６からの画像データ又は記録媒体に記録されていた画像データの解像度を、指定された解像度に変換する。また、印刷処理を行う場合には、保存された画像データの解像度がプリントアウトする画像の大きさや画質に応じて変換される。また、サムネイル画像を作成する場合には、解像度コンバータ７で、サムネイル画像が形成される。
【００２１】
ＪＰＥＧ／ＭＰＥＧコンバータ８は、カメラブロック６からの画像データを圧縮符号化（エンコード）し、また、圧縮符号化された画像データを伸長（デコード）する処理を行うハードウェアであり、バス３に接続される。静止画の画像データの圧縮方式としては、例えば、ＪＰＥＧが用いられる。また、ＪＰＥＧ／ＭＰＥＧコンバータ８は、静止画処理ばかりでなく、動画処理を行える。動画処理の場合には、動画の圧縮方式として、ＭＰＥＧが用いられる。勿論、静止画や動画の圧縮方式は、ＪＰＥＧ方式やＭＰＥＧ方式に限定されるものではない。
【００２２】
ＬＣＤ（Ｌｉｑｕｉｄ  Ｃｒｙｓｔａｌ  Ｄｉｓｐｌａｙ）ディスプレイ１０は、撮影時には電子ビューファインダ等として利用される。また、ＬＣＤディスプレイ１０は、再生時には、撮影した画像をモニタするのに使用される。ＬＣＤディスプレイ１０は、ＬＣＤコントローラ９を介して、バス３に接続される。また、このＬＣＤディスプレイ１０には、各種の設定状態や動作状態が表示される。
【００２３】
リムーバブルメモリ１２は、撮影した画像を保存するのに用いられる。リムーバブルメモリ１２は、メモリコントローラ１１を介して装着される。メモリコントローラ１１は、バス３に接続される。リムーバブルメモリ１２は、フラッシュメモリを使ったカード型あるいはスティック状の着脱自在の不揮発性メモリである。このような着脱自在のフラッシュメモリとしては、メモリスティック（登録商標）、ＳＤメモリカード（登録商標）、マルチメディアカード（登録商標）、コンパクトフラッシュ（登録商標）、スマートメディア（登録商標）等が知られている。リムーバブルメモリ１２としては、どのようなメモリを用いても良い。また、リムーバブルメモリ１２として、磁気ディスクを用いたものや、光ディスクあるいは光磁気ディスクを用いても良い。また、着脱自在のリムーバブルメモリ１２を用いずに、カメラに内蔵されたフラッシュメモリに、撮影した画像を保存させるようにしても良い。
【００２４】
インターフェース１３は、カメラと各種の外部機器とを接続するのに使用される。インターフェース１３は、例えば、パーソナルコンピュータと接続して、カメラで撮影した画像をパーソナルコンピュータに転送するのに使用される。また、インターフェース１３は、プリンタに接続して、カメラで撮影した画像をプリンタにより直接プリントアウトするのに使用される。インターフェース１３としては、例えば、ＵＳＢ（Ｕｎｉｖｅｒｓａｌ  Ｓｅｒｉａｌ  Ｂｕｓ）が用いられる。ＵＳＢは、周辺装置を接続するためのシリアルバスである。インターフェース１３としては、ＵＳＢに限られるものではなく、ＩＥＥＥ１３９４やＵＡＲＴ（Ｕｎｉｖｅｒｓａｌ  Ａｓｙｎｃｈｒｏｎｏｕｓ  Ｒｅｃｅｉｖｅｒ−Ｔｒａｎｓｍｉｔｔｅｒ）を用いても良い。また、このような有線のインターフェースばかりでなく、ＢｌｕｅＴｏｏｔｈ  のようなワイヤレスな接続手段を用いても良い。ＢｌｕｅＴｏｏｔｈは、２．４ＧＨｚ帯を使い、周波数ホッピングを利用した無線ネットワークである。また、ＩｒＤＡ（Ｉｎｆｒａｒｅｄ  Ｄａｔａ  Ａｓｓｏｃｉａｔｉｏｎ）を使って、赤外線でデータを伝送するようにしても良い。
【００２５】
撮影時には、カメラブロック６のレンズが被写体の方向に向けられる。この被写体像光は、カメラブロック６の撮像素子で光電変換され、ディジタル化される。カメラブロック６からの画像データは、解像度コンバータ７に送られ、ＬＣＤディスプレイ１０の画素数に応じて解像度が変換され、ＲＡＭ５のファインダ領域に保持される。このＲＡＭ５のファインダ領域の画像データは、１／３０秒周期でＬＣＤディスプレイ１０に送られる。ＬＣＤディスプレイ１０には撮影中の画面が映し出され、ＬＣＤディスプレイ１０が電子ビューファインダとなる。
【００２６】
静止画撮影時には、ユーザは、静止画モードに設定し、ＬＣＤディスプレイ１０を電子ビューファインダとして見ながら、カメラの方向をセットし、撮影する画像が決まると、シャッターキーを押す。シャッターキーは、入力キー２中に含まれている。シャッターキーが押されると、そのときのカメラブロック６の画像データがビットマップの画像データで取り込まれる。このビットマップの画像データは、解像度コンバータ７により所望の解像度に変換され、ＪＰＥＧ／ＭＰＥＧコンバータ８により、例えばＪＰＥＧ方式で圧縮され、リムーバブルメモリ１２にＪＰＥＧファイルとして保存される。又は、所望の解像度に変換された画像データは、ビットマップデータのまま、リムーバブルメモリ１２にビットマップファイルとして保存される。
【００２７】
静止画再生時には、リムーバブルメモリ１２から、所望の画像データが読み出される。リムーバブルメモリ１２に保存されている画像データが例えばＪＰＥＧ方式で圧縮されている場合には、リムーバブルメモリ１２から読み出された画像データは、ＪＰＥＧ／ＭＰＥＧコンバータ８に送られ、ＪＰＥＧ／ＭＰＥＧコンバータ８で、元のビットマップ画像に戻される。この画像データは、解像度コンバータ７に送られ、ＬＣＤディスプレイ１０の画素数に応じて解像度が変換される。リムーバブルメモリ１２に保存されている画像データがビットマップデータの場合には、リムーバブルメモリ１２に保存されていた画像データは、解像度コンバータ７に送られ、ＬＣＤディスプレイ１０の画素数に応じて解像度が変換される。そして、この画像データは、ＲＡＭ５のファインダ領域に保持される。このＲＡＭ５のファインダ領域の画像データがＬＣＤディスプレイ１０に送られ、リムーバブルメモリ１２から読み出された画像がＬＣＤディスプレイ１０に映し出される。
【００２８】
動画撮影時には、ユーザは、動画モードに設定し、ＬＣＤディスプレイ１０を電子ビューファインダとして見ながら、カメラの方向をセットする。シャッターキーを押すと、動画の記録が開始され、もう一度シャッターキーを押すと、動画の記録が終了される。動画の記録では、カメラブロック６の画像データがビットマップの画像データで取り込まれ、このビットマップの画像データは、ＪＰＥＧ／ＭＰＥＧコンバータ８により、例えばＭＰＥＧ方式で圧縮され、リムーバブルメモリ１２にＭＰＥＧファイルとして保存される。
【００２９】
動画再生時には、リムーバブルメモリ１２から、ＭＰＥＧ方式で圧縮された所望の動画データが読み出される。リムーバブルメモリ１２に保存されている動画データは、ＪＰＥＧ／ＭＰＥＧコンバータ８に送られ、ＪＰＥＧ／ＭＰＥＧコンバータ８で、デコードされる。この画像データはＬＣＤディスプレイ１０に送られ、リムーバブルメモリ１２から読み出された動画がＬＣＤディスプレイ１０に映し出される。
【００３０】
更に、この発明が適用されたディジタルカメラでは、インターフェース１３にプリンタを繋ぎ、リムーバブルメモリ１２に保存されている画像をプリンタに直接プリントアウトすることができる。
【００３１】
すなわち、図２に示すように、この発明が適用されたディジタルカメラ２１とプリンタ２２とが例えばＵＳＢのケーブルを使って接続される。プリンタ２２としては、どのような方式のプリンタを用いても良い。ディジタルカメラ２１とプリンタ２２とを接続し、印刷モードに設定して、所望の画像を指定すると、ディジタルカメラ２１側からプリンタ２２に、プリント命令とそのオプション、更に指定された画像の画像データが送信される。これに基づいて、プリンタ２２で画像がプリントアウトされる。
【００３２】
そして、この発明が適用されたディジタルカメラでは、ディジタルカメラ２１とプリンタ２２とを繋ぐと、静止画の印刷ばかりでなく、動画の中から所望のフレームの画像を取り出して、印刷を行うことができる。
【００３３】
動画の中の所望のフレームの印刷を行う場合には、ユーザは、所望の動画を選択し、その動画の再生を行う。動画再生時には、リムーバブルメモリ１２から、ＭＰＥＧ方式で圧縮された所望の動画データが読み出され、この動画データは、ＪＰＥＧ／ＭＰＥＧコンバータ８でデコードされ、ＬＣＤディスプレイ１０に映し出される。ユーザは、ディジタルカメラのＬＣＤディスプレイ１０上で動画を再生しながら、一時停止、早送り、巻き戻し、コマ送り、コマ戻しなどの操作を行い、印刷したいフレームを選択する。
【００３４】
ユーザが印刷フレームを特定すると、ＲＡＭ５上に、所望のフレーム位置が保存される。フレーム位置を特定するために、動画ファイル特定情報と、選択フレーム位置情報の次の２つの情報が必要である。
【００３５】
動画ファイル特定情報は、複数の動画ファイルから特定の動画ファイルを識別する固有なデータであり、通常はファイル名である。選択フレーム位置情報は、動画ファイル内のどのフレームを印刷するかを特定する情報であり、先頭からのフレーム番号、あるいはバイト位置である。
【００３６】
なお、ユーザが選択できるフレーム数は１枚に限定しない。ユーザは複数のフレームを複数の動画ファイルから選択できる。
【００３７】
１枚の印刷フレームの選択が終了すると、例えば「更に選択？」の文字がＬＣＤディスプレイ１０に表示される。ここで、ユーザが「Ｙｅｓ」を選択すると、同様の処理により、次に印刷フレームが選択できる。このようにして、ユーザは複数の印刷フレームを選択することができる。「更に選択？」の表示に対して、「Ｎｏ」を選択すると、これで、印刷フレームの選択が終了される。
【００３８】
なお、ユーザが実際に動画を見ながら、印刷フレームを１枚１枚選択する方法以外に、印刷フレームを自動的に選択する次の方法が考えられる。
【００３９】
・シーンの変わり目を自動検出して印刷フレームとして選択する。
・印刷フレームとして、特定時間間隔のフレームを選択する（例：１時間毎のフレーム）。
【００４０】
シーンの変わり目は、例えば、各フレームの相関を検出することで判断できる。各フレームの相関が小さくなったら、シーンの変わり目と判断できる。
【００４１】
印刷フレームが選択されたら、ユーザは、印刷形式の指定を行う。印刷形式としては、例えば、各フレーム毎の印刷、複数のサムネイル画像を配列したインデックス形式での印刷等がある。これは、静止画の印刷で選択できる形式と同等である。
【００４２】
印刷形式が指定されると、印刷実行が行われる。印刷実行では、リムーバブルメモリ１２に保存されている動画データの中から、印刷フレームとして選択されたフレームを含む動画データが読み出される。この動画データがＪＰＥＧ／ＭＰＥＧコンバータ８に送られ、ＪＰＥＧ／ＭＰＥＧコンバータ８でデコードされる。そして、この動画データの中から、印刷フレームとして選択されたフレームのデータが取り出される。
【００４３】
このとき、フレーム位置情報からフレームのバイト位置を読み出し、ファイル内のシークを行うことにより、フレームを特定する。この印刷フレームの画像データから静止画が作成され、この印刷フレームに相当する静止画データがＲＡＭ５のプリント領域に展開される。複数の印刷フレームが選択されている場合には、同様の処理が繰り返され、複数の印刷フレームに相当する静止画データがＲＡＭ５のプリント領域に展開される。
【００４４】
また、インデックス画像データをプリントアウトする場合には、解像度コンバータ７でインデックス画像が形成され、このインデックス画像データがＲＡＭ５のプリント領域に展開される。
【００４５】
そして、ディジタルカメラ２１からプリンタ２２に印刷命令が送られ、ＲＡＭ５に展開された印刷フレームに相当する静止画の画像データがプリンタ２２に送られる。プリンタ２２では、ディジタルカメラ２１から送られてきた画像データが印刷される。
【００４６】
このように、この発明の実施の形態では、ディジタルカメラ２１とプリンタ２２とを直接繋ぎ、パーソナルコンピュータを使わずに、ディジタルカメラ２１で撮影した画像を印刷することができる。そして、ディジタルカメラで撮影された動画の中から、所望の印刷フレームの画像を指定し、この印刷フレームの画像の静止画を作成して、プリンタに送る機能を有している。このため、静止画ばかりでなく、動画の中の所望のフレームの印刷を行うことができる。動画の中から印刷フレームの画像の静止画を作成してプリンタに送っているので、プリンタは静止画の印刷処理と同様の処理で印刷が行え、動画フォーマットを意識することなく、印刷が行える。
【００４７】
図３は、印刷フレームの選択処理を示すフローチャートである。図３において、動画フレームの選択が行われる（ステップＳ１）。動画フレームの選択では、ユーザがディジタルカメラのＬＣＤディスプレイ１０の画面上で動画を再生しながら、一時停止、早送り、巻き戻し、コマ送り、コマ戻しなどの操作を行い、印刷したいフレームを選択する。
【００４８】
ユーザが印刷フレームを特定すると、ＲＡＭ５上に、フレーム位置情報が保存される（ステップＳ２）。フレーム位置情報は、選択されたフレーム位置を特定するための情報で、動画ファイル特定情報（例えばファイル名）と、選択フレーム位置情報（例えば先頭からのフレーム番号、あるいはバイト位置）である。
【００４９】
印刷フレームが特定されたら、更に、印刷フレームを選択するかどうかが判断される（ステップＳ３）。更に印刷フレームを選択する場合には、ステップＳ１にリターンされ、印刷フレームを特定するたの処理が繰り返される。
【００５０】
ステップＳ３で、印刷フレームの選択が終了したと判断されたら、印刷形式が指定される（ステップＳ４）。印刷形式は、例えば、フレーム画像の形式、インデックス画像の形式が指定できる。
【００５１】
印刷形式が指定されたら、印刷が実行される（ステップＳ５）。印刷の実行で、動画フレームから静止画が作成され、この静止画がＲＡＭ５上に展開される（ステップＳ６）。この静止画がプリンタに送られる（ステップＳ７）。これにより、プリンタで、動画フレームから作成された静止画がプリントアウトされる。
【００５２】
選択枚数の印刷が完了されたかどうかが判断され（ステップＳ８）、選択枚数の印刷が完了していなければ、ステップＳ６にリターンされ、動画フレームから作成された静止画の印刷が続けられる。選択枚数の印刷が完了したら、それで処理は終了される。
【００５３】
図４は、ステップＳ５の印刷実行処理を示すフローチャートである。図４において、動画フレームの印刷を実行する際には、ステップＳ２で保存されたフレーム位置情報が読み込まれる（ステップＳ１１）。このフレーム位置情報は、動画ファイル特定情報（例えばファイル名）と、選択フレーム位置情報（例えば先頭からのフレーム番号、あるいはバイト位置）である。
【００５４】
動画ファイル特定情報（例えばファイル名）からファイルが特定され、そのファイルがオープンされる（ステップＳ１２）。そして、選択フレーム位置情報（例えば先頭からのフレーム番号、あるいはバイト位置）により、フレームが特定される（ステップＳ１３）。
【００５５】
ステップＳ１２でオープンされた動画ファイルがデコードされ（ステップＳ１４）、その動画ファイルから、ステップＳ１１で指定された位置の静止画ファイルがビットマップデータでＲＡＭ５に取り込まれる（ステップＳ１５）。
【００５６】
なお、プリンタが、特定の圧縮形式（例えば  ＪＰＥＧ）の入力形式のみを受け付けるならば、ＲＡＭ５に展開されたビットマップの画像を、ＪＰＥＧ／ＭＰＥＧコンバータ８で特定の圧縮形式（例えばＪＰＥＧ）へエンコードする作業が必要である。その場合には、ステップＳ１５の後に、必要に応じて、ビットマップ画像を例えばＪＰＥＧ方式にエンコードする処理が行われる。
【００５７】
以上説明したように、この発明の実施の形態では、  メディアの移動をすることなく簡単に動画フレームの印刷が可能となる。また、  プリンタが動画フォーマットを意識することなく、静止画と同様の手法で動画の特定フレームを印刷可能となる。また、  ユーザが動画を見ながら対象フレームを選択する以外に、一定時間間隔のフレーム、シーン切り替わりのフレームを自動で印刷する機能を持たせることにより、実用性が向上する。例えば監視カメラのようなシステムでは、シーン切り替わりのフレームを自動検出して印刷する機能を持たせることにより、変化の少ない動画像を見ながらのフレーム選択が不要になる。また、天体撮影を行った場合には、一定時間間隔のフレームの印刷が便利であると考えられる。
【００５８】
この発明は、上述した実施形態に限定されるものではなく、この発明の要旨を逸脱しない範囲内で様々な変形や応用が可能である。
【００５９】
【発明の効果】
この発明によれば、  ディジタルカメラとプリンタとを直接繋ぎ、パーソナルコンピュータを使わずに、ディジタルカメラで撮影した画像を印刷することができる。そして、ディジタルカメラで撮影された動画の中から、所望の印刷フレームの画像を指定し、この印刷フレームの画像の静止画を作成して、プリンタに送る機能を有している。このため、静止画ばかりでなく、動画の中の所望のフレームの印刷を行うことができる。動画の中から印刷フレームの画像の静止画を作成してプリンタに送っているので、プリンタは静止画の印刷処理と同様の処理で印刷が行え、動画フォーマットを意識することなく、印刷が行える。
【図面の簡単な説明】
【図１】この発明が適用されたディジタルカメラの構成を示すブロック図である。
【図２】ディジタルカメラとプリンタとの接続を示すブロック図である。
【図３】この発明が適用されたディジタルカメラの説明に用いるフローチャートである。
【図４】この発明が適用されたディジタルカメラの説明に用いるフローチャートである。
【符号の説明】
１・・・ＣＰＵ、５・・・ＲＡＭ、６・・・カメラブロック、７・・・解像度コンバータ、１０・・・ＬＣＤディスプレイ、１２・・・リムーバブルメモリ、１３・・・インターフェース、２１・・・ディジタルカメラ、２２・・・プリンタ
【図１】
2004179823.tif 000003
【図２】
2004179823.tif 000004
【図３】
2004179823.tif 000005
【図４】
2004179823.tif 000006